(57)【要約】【課題】撮影者が意図しない機能が作動してしまうことのないレンズシステムを提供すること。【解決手段】レンズ装置と、駆動制御装置と、制御手段の機能が初期設定として割当てられるユーザにより操作される操作手段と、該操作手段に割り当てる機能の設定を変更する機能設定手段と、該変更された設定を記憶する記憶手段と、該操作手段の現在の設定を表示する表示手段と、を含み、電源立ち上げ時は、前記操作手段の機能の設定を所定の開始設定とし、所定のタイミングにおいて、前記操作手段の機能の設定を所定の移行設定とするか否かを通知する通知手段と、前記移行設定とするか否かを選択する選択手段と、を有し、前記選択手段により移行と選択された場合は、前記操作手段の機能の設定を移行設定とすることを特徴とする。【選択図】図７
2017215405.tif 000002
【特許請求の範囲】
【請求項１】
可動光学部材を備え、カメラ装置に接続されるレンズ装置と、
該レンズ装置と接続され、該可動光学部材を駆動する駆動手段を有する駆動制御装置と、
前記カメラ装置へリターン信号を出力するリターン機能、
前記カメラ装置へ録画開始を指令する録画指令機能、
前記可動光学部材の駆動を指令する駆動指令機能、
前記可動光学部材の電動駆動又は手動操作を切り替える駆動切替機能
の少なくともいずれかの機能を有する制御手段と、
該制御手段の前記機能が初期設定として割当てられるユーザにより操作される操作手段と、
該操作手段に割り当てる機能の設定を変更する機能設定手段と、
該変更された設定を記憶する記憶手段と、
該操作手段の現在の設定を表示する表示手段と、
を含み、
電源立ち上げ時は、前記操作手段の機能の設定を所定の開始設定とし、
所定のタイミングにおいて、
前記操作手段の機能の設定を所定の移行設定とするか否かを通知する通知手段と、
前記移行設定とするか否かを選択する選択手段と、
を有し、
前記選択手段により移行と選択された場合は、前記操作手段の機能の設定を移行設定とすることを特徴とするレンズシステム。
【請求項２】
前記所定のタイミングは、電源立ち上げ時であることを特徴とする請求項１に記載のレンズシステム。
【請求項３】
前記所定のタイミングは、前記表示手段の表示が指示された時であることを特徴とする請求項１に記載のレンズシステム。
【請求項４】
前記所定の開始設定は、前記記憶手段により記憶された設定であり、
前記所定の移行設定は、前記初期設定であることを特徴とする請求項１に記載のレンズシステム。
【請求項５】
前記所定の開始設定は、前記初期設定であり、前記所定の移行設定は、前記記憶手段により記憶された設定であることを特徴とする請求項１に記載のレンズシステム。
【請求項６】
前記操作手段の設定の変更を禁止する禁止モードを有し、
前記禁止モードの場合は、前記操作手段の機能の設定は、前記記憶手段により記憶された設定とすることを特徴とする請求項１に記載のレンズシステム。
【請求項７】
前記警告手段による警告は、所定時間経過後に警告を終了することを特徴とする請求項１に記載のレンズシステム。
【発明の詳細な説明】
【技術分野】
【０００１】
本発明は、レンズシステムに関し、特に駆動制御装置の操作部への機能の割付け設定が変更可能な駆動制御装置を備えるレンズシステムに関する。
【背景技術】
【０００２】
従来、テレビジョン撮影に用いられるレンズシステムは、ＴＶカメラ本体とＴＶレンズで構成され、ＴＶレンズをＴＶカメラに装着して使用する。このうちＴＶレンズはレンズ本体部とドライブユニットに大別され、レンズ本体部には撮影光学系とそれをマニュアル操作するためのマニュアルリングがある。またドライブユニットには、これらマニュアルリングを電動駆動するための、モータや制御基板、ＣＰＵが内部に格納され、外装面には電動制御を指示する各種スイッチや、操作部材が設けられている。
【０００３】
ＴＶレンズは、以前はマニュアルによるズームやアイリス操作が撮影の大半を占めていたが、最近では電動サーボによる撮影も頻繁に行われるようになり、ドライブユニットにも様々な機能が付加されている（特許文献１参照）。例えば、任意のズーム位置を一度記憶すると、スイッチを押すことで記憶したズーム位置までモータ駆動するプリセット機能。また、このプリセット機能をドライブユニット上の複数あるスイッチの中で、ユーザが自分の好きな位置のスイッチに自由に割当てる設定ができる機能などがある。
【０００４】
こうした様々な機能を割当て設定する手段は、レンズの撮影に関わる機能を設定する機能設定手段と、それに用いる表示パネルと、ＴＶレンズの撮影に関わる各機能の設定情報を複数記憶できる記憶手段を設けることにより、状況を容易かつ瞬時に把握できる。
【０００５】
さらに操作性に優れた機能の設定手段を併せ持つ、使い勝手の良い光学装置を提供されている。
【０００６】
このように使用者の嗜好に応じて設定変更できるこれらの機能は、カメラマンの撮影の幅を広げ、様々な撮影状況に応じて最適なカメラワークを実現することを可能にしている。
【先行技術文献】
【特許文献】
【０００７】
【特許文献１】特開２００１−１２４９７９号公報
【発明の概要】
【発明が解決しようとする課題】
【０００８】
しかしながら、テレビジョン撮影に用いられるＴＶカメラ本体とＴＶレンズで構成される光学装置は、放送局やプロダクションなどで所有しているものが多く、個人が所有するものではないため、光学装置を使用するカメラマンが定まっていないケースが多い。このため、カメラマンごとに様々な設定がなされ、設定を行ったカメラマンとは別のカメラマンが光学装置を使用する際に、例えば、ドライブユニット上のあるスイッチを操作した場合に、自分が意図した機能とは異なる機能が作動するという問題が発生する。
【０００９】
テレビジョン撮影においては、撮影機会を逃さないという観点からも、咄嗟に撮影を開始するケースも多く、この場合上記のような問題が発生すると撮影機会を逃してしまう、或いは、カメラマンの意図しない映像が撮影されてしまう可能性も大きい。
【００１０】
そこで、本発明の目的は、特に駆動制御装置の操作部への機能の割付け設定が変更可能な構成を備えながら、撮影者が意図しない機能が作動してしまうことのないレンズシステムを提供することにある。
【課題を解決するための手段】
【００１１】
上記の目的を達成するために、本発明に係るレンズシステムは、
可動光学部材を備え、カメラ装置に接続されるレンズ装置と、該レンズ装置と接続され、該可動光学部材を駆動する駆動手段を有する駆動制御装置と、前記カメラ装置へリターン信号を出力するリターン機能、前記カメラ装置へ録画開始を指令する録画指令機能、前記可動光学部材の駆動を指令する駆動指令機能、前記可動光学部材の電動駆動又は手動操作を切り替える駆動切替機能の少なくともいずれかの機能を有する制御手段と、該制御手段の前記機能が初期設定として割当てられるユーザにより操作される操作手段と、該操作手段に割り当てる機能の設定を変更する機能設定手段と、該変更された設定を記憶する記憶手段と、該操作手段の現在の設定を表示する表示手段と、を含み、電源立ち上げ時は、前記操作手段の機能の設定を所定の開始設定とし、所定のタイミングにおいて、前記操作手段の機能の設定を所定の移行設定とするか否かを通知する通知手段と、前記移行設定とするか否かを選択する選択手段と、を有し、前記選択手段により移行と選択された場合は、前記操作手段の機能の設定を移行設定とすることを特徴とする。
【発明の効果】
【００１２】
本発明によれば、駆動制御装置の操作部への機能の割付け設定が変更可能な構成を備えながら、撮影者が意図しない機能が作動してしまうことのないレンズシステムを提供することができる。
【図面の簡単な説明】
【００１３】
【図１】本発明の実施例１におけるレンズシステムの上面図
【図２】実施例１におけるレンズシステムの背面図
【図３】実施例１における機能設定スイッチの構成図
【図４】実施例１におけるレンズシステムの内部構成図
【図５】実施例１におけるドライブユニットのメニュー画面の表示例
【図６】実施例１における機能設定処理のフローチャート
【図７】実施例１における警告表示の表示例
【図８】実施例２におけるドライブユニットのメニュー画面の表示例
【図９】実施例２における機能設定処理のフローチャート
【図１０】実施例２における警告表示の表示例
【発明を実施するための形態】
【００１４】
以下に、本発明の好ましい実施の形態を、添付の図面に基づいて詳細に説明する。
【実施例１】
【００１５】
以下、図１〜７を参照して、本発明の第１の実施例によるレンズシステムについて説明する。
【００１６】
図１及び図２はレンズシステムの上面図および背面図である。
【００１７】
１０１はレンズ装置で、内部には可動光学部材であるフォーカスレンズ、ズームレンズ、アイリス等を含む撮影光学系を含み、外側には、フォーカスレンズ、ズームレンズ、アイリスを手動で操作するためのマニュアルリングを有する。
【００１８】
１０２はレンズ装置１０１に着脱自在に取付けられるドライブユニット（駆動制御装置）で、内部にはレンズ装置１０１のマニュアルリングを電動駆動するためのモータや、制御基板、ＣＰＵ等が格納されている。
【００１９】
１０３はズームを電動駆動する時に操作するシーソースイッチ（操作手段）で、図中Ｔの方向あるいはＷの方向にスイッチを押し込むと、押し込み量に応じたスピードで、ズームレンズを望遠方向、あるいは広角方向へ移動させる駆動指令機能が割当てられている。
【００２０】
１０４はスイッチ操作に応じてカメラへリターン信号を送り返すリターン機能が割当てられたリターンスイッチ（操作手段）である。一般的には、複数のカメラで映像を撮影するときに、他のカメラで撮影され実際に放送に使用されている映像を手元で確認するためのスイッチである。
【００２１】
１０５は録画開始を指令するＶＴＲスイッチ（操作手段）であり録画指令機能が割当てられている。
【００２２】
また、１０６はアイリスをマニュアルリングによる手動操作とするか、モータによる電動駆動とするかを切り替える駆動切替機能が割当てられたアイリス駆動切替スイッチ（操作手段）である。
【００２３】
これらシーソースイッチ１０３、リターンスイッチ１０４、ＶＴＲスイッチ１０５、アイリス駆動切替スイッチ１０６は、テレビ撮影に関わる最も基本的なスイッチ（操作手段）である。また、ＴＶレンズの操作性を継承する観点から、ＴＶレンズの長い歴史の中でも昔から変わらずに図示した位置に配置される。
【００２４】
１０７は機能スイッチ（機能操作手段）Ａで、レンズを用いた撮影に関わる様々な機能の中から任意の機能をこの機能スイッチＡ１０７に割り当てて使用されることが前提のスイッチである。例えば、プリセット機能をこのスイッチに割り当てると、カメラマンは後述するメモリースイッチ１０９と同時に機能スイッチＡ１０７を押すことで現在のズーム位置が記憶できる。その後ズームがいかなる位置にある場合でも、この機能スイッチＡ１０７を押すことで、ズームを記憶した位置に戻すことができる。
【００２５】
また、１０８は機能スイッチ（機能操作手段）Ｂで、レンズの撮影に関わる様々な機能の中から任意の機能をこの機能スイッチＢ１０８に割り当てて使用されることが前提のスイッチである。例えば、スイッチを押すことでズームが往復動作する機能をこのスイッチに割り当てる。すると、カメラマンは機能スイッチＢを押し続けるとレンズは望遠端までズーミングし、深度の浅い望遠端でフォーカス合わせをした後で機能スイッチＢから手を離すと元のズーム位置に戻すことができ、ピントの合わせのアシスト機能として利用することができる。これらの機能スイッチは、カメラマンがレンズをマニュアル操作する際に、スイッチを誤操作して突然ズームが動き出すことのないように、機能スイッチＡあるいは機能スイッチＢを押しても、機能することにないように設定することも可能である。
【００２６】
１０９は現在のズーム位置、速度、方向などを記憶する際に使用するメモリースイッチである。
【００２７】
１１０はドライブユニット１０２の背面に設けた液晶による表示パネル、１１１は表示パネルの表示／非表示を切換える表示スイッチで、必要な時だけ表示パネル１１０を点灯する構成にすることで消費電力を低減している。
【００２８】
１１２はレンズの撮影に関わる様々な機能を設定するための機能設定スイッチである。
【００２９】
図３は機能設定スイッチ１１２を拡大して表したものである。
【００３０】
図３に示した機能設定スイッチ１１２は、図中２０２から２０５の４つの矢印キーとひとつの選択キー２０１で構成される。そして、表示パネル１１０に表示される画面メニューに沿って、２０２から２０５の４つの矢印キーでカーソルを移動して、複数ある機能の中から一つを選択し、選択キー２０１で確定する。
【００３１】
次にレンズシステムの内部構成を図４に示す。
【００３２】
図４において、３０１は焦点調整を行うフォーカスレンズ光学系、３０２はフォーカスレンズ光学系３０１を駆動するフォーカスモータ、３０３はフォーカスレンズ光学系３０１の位置に応じた位置信号を出力するフォーカス位置検出部、３０４はフォーカスレンズ光学系３０１を制御するフォーカス制御部である。
【００３３】
３０５は変倍調節を行うズームレンズ光学系、３０６はズームレンズ光学系３０５を駆動するズームモータ、３０７はズームレンズ光学系３０５の位置に応じた位置信号を出力するズーム位置検出部、３０８はズームレンズ光学系３０５を制御するズーム制御部である。
【００３４】
３０９は絞り調節を行うアイリス羽根、３１０はアイリス羽根３０９を駆動するアイリスモータ、３１１はアイリス羽根３０９の位置に応じた位置信号を出力するアイリス位置検出部、３１２はアイリス羽根３０９を制御するアイリス制御部である。
【００３５】
３１３は焦点距離を１．５倍や２．０倍などに変更するエクステンダー光学系、３１４はエクステンダー光学系３１３を駆動するエクステンダーモータ、３１５はエクステンダー光学系３１３の位置に応じた位置信号を出力するエクステンダー位置検出部、３１６はエクステンダー光学系３１３を制御するエクステンダー制御部である。
【００３６】
３１７は本実施例の制御部分を司るＣＰＵ、１１０はドライブユニット１０２の背面に設けた液晶による表示パネル、１１２はレンズの撮影に関わる様々な機能を設定するための機能設定スイッチである。
【００３７】
３１８はレンズの撮影に関わる様々な機能及び特性を記憶させる記憶部、３１９はドライブユニット１０２に取付けられた各種スイッチ通信部、３２０はレンズ外部とのデータ通信部、３２１は各種デマンドとの通信部、３２２はカメラ装置との通信部である。
【００３８】
図５は表示パネル１１０に表示される、レンズ機能を設定するためのメニュー画面の例である。
【００３９】
メニュー画面における設定項目の変更操作について説明する。
【００４０】
矢印キー２０２〜２０５によりメニュー画面内の４０２〜４０９の項目のいずれかにカーソルを合わせ、選択キー２０１を押すことで該カーソル項目の設定が変更可能な状態となる。カーソル項目が変更可能状態の場合は、カーソル位置は固定され、矢印キーの２０４、２０５を押すことで設定値を変更することができる。設定値が決定したら、選択キー２０１を押すことで、変更した設定値を記憶部３１８に記憶し、再度カーソル移動が可能となる。
【００４１】
以下にメニュー画面の設定項目について説明する。
【００４２】
４０１は、該画面が設定項目のメニュー画面であることを示す表示である。
【００４３】
４０２は、ＶＴＲスイッチ１０５の機能割り当ての設定項目である。ＶＴＲスイッチ１０５は、初期設定では、録画の開始を指示する機能であるが、４０２の設定項目を変更することにより、他の機能を割り当てることができる。例えば、リターン機能やプリセット機能、シャトル機能などに設定変更可能である。
【００４４】
４０３は、リターンスイッチ１０４の機能割り当ての設定項目である。リターンスイッチ１０４は、初期設定では、カメラへ信号を送り返す機能であるが、４０３の設定項目を変更することにより、他の機能を割り当てることができる。例えば、ＶＴＲ機能やプリセット機能、シャトル機能などに設定変更可能である。
【００４５】
４０４は、アイリス駆動切替スイッチ１０６の切替状態の設定項目である。アイリス駆動切替スイッチ１０６は、初期設定では、アイリスを手動操作か電動操作かを切り替える機能であるが、４０４の設定項目を変更することにより、切替状態を変更することができる。例えば、アイリス駆動切替スイッチ１０６の状態に関わらずアイリスを手動操作に設定するや、アイリス駆動切替スイッチ１０６の状態に関わらずアイリスを電動操作に設定する、などに設定変更可能である。
【００４６】
４０５は、シーソースイッチ１０３の駆動対象の設定項目である。シーソースイッチ１０３は、初期設定では、ズームの電動駆動を指令するためのスイッチであるが、４０５の設定項目を変更することにより、駆動対象を変更することができる。例えば、シーソースイッチ１０３をアイリスの電動駆動を指令するためのスイッチとするなどに設定変更可能である。
【００４７】
４０６は、機能スイッチＡ１０７の機能割り当ての設定項目である。４０６の設定項目を変更することにより、任意の機能を割り当てることができる。例えば、ＶＴＲ機能やリターン機能、プリセット機能、シャトル機能、または機能なしなどを設定することが可能である。
【００４８】
４０７は、機能スイッチＢ１０８の機能割り当ての設定項目である。４０７の設定項目を変更することにより、任意の機能を割り当てることができる。例えば、ＶＴＲ機能やリターン機能、プリセット機能、シャトル機能、または機能なしなどを設定することが可能である。
【００４９】
４０８は、アイリストルクの設定項目である。４０８の設定項目を変更することで、アイリスのマニュアルリングを手動操作する際のリングの重さ（駆動特性の設定値）を変更することができる。リングの重さを変更することにより、ユーザの好みの操作感でアイリスリングを操作することができる。
【００５０】
４０９は、ズームトラッキング機能の有効／無効を切り替える設定項目である。ズームトラッキング機能とは、メモリースイッチ１０９により記憶された任意のズーム位置により、ズームの駆動領域を限定する機能である。ズームトラッキング機能を使用することにより所望の画角範囲内でレンズ装置を使用することができ、撮影状況に応じて必要以上にズームしてしまうといった操作を防ぐことができる。４０９の設定を変更することで、ズームトラッキング機能を有効とするか無効とするかを変更することができる。
【００５１】
上記の４０２〜４０７の項目はスイッチ（操作手段）に割り当てる「機能」の変更／設定である。それに対し、アイリストルクの設定項目４０８と、ズームトラッキング機能の有効／無効を切り替える設定項目４０９については、割当てられている機能に対する「設定値」の変更ということになる。
【００５２】
以上により、使用するユーザの好みに合わせてレンズ機能をカスタマイズできる。例えば、スイッチの配置による押し易さやレンズ機能の使用頻度に合わせて、ＶＴＲスイッチ１０５にプリセット機能を割り付けたり、シーソースイッチ１０３の駆動対象をアイリスとしたりするなど変更できる。よって、使用するユーザに合わせて設定変更することにより、ユーザに合った使い勝手を実現することができる。
【００５３】
しかしながら、複数のユーザによりレンズ装置が共同で使用される場合は、レンズ装置に備えられたスイッチにより作動する機能が初期設定の機能から変更されていると、自分が意図しない機能が作動してしまい、誤操作につながってしまう。
【００５４】
図６は第１の実施例における電源立ち上げ時の機能設定の流れを示したフローチャート図である。
【００５５】
まず、ドライブユニット１０２に電源が入ると、ステップＳ１００に進み、記憶部３１８に記憶されている記憶値に機能設定を設定する。
【００５６】
次に、ステップＳ１０１に進み、記憶値と予め定められている初期値とが異なるか否か、すなわち、ユーザにより機能設定を変更されているか否かを判断する。初期値と異なっている場合は、ステップＳ１０２に進み、初期値と同一の場合は、そのまま処理を終了する。
【００５７】
ステップＳ１０２では、表示パネル１１０にユーザに対する警告表示を行う。図７はステップＳ１０２における警告表示の表示例を示している。５０１では、機能設定が初期値と異なっていることを示す表示を行い、５０２では、機能設定を初期値に戻すか否かを問う内容を表示する。また、５０２の問いに対して、５０３で初期値に戻すことを示す「Ｙｅｓ」、５０４で戻さないことを示す「Ｎｏ」の表示を行い、機能設定スイッチ１１２により選択可能とする。
【００５８】
ステップＳ１０３では、機能スイッチ１１２により「Ｙｅｓ」５０３、または「Ｎｏ」５０４が選択されたかを判断する。「Ｙｅｓ」５０３が選択された場合は、ステップＳ１０４に進み、「Ｎｏ」５０４が選択された場合は、ステップＳ１０５に進む。
【００５９】
ステップＳ１０４では、予め定められた初期値に機能設定を設定し、次にステップＳ１０５に進む。
【００６０】
ステップＳ１０５では、表示パネル１１０の表示を消灯する。
【００６１】
以上により、前回使用していた別のユーザにより、レンズシステムの機能設定が変更されていた場合でも、電源立ち上げ時に表示パネルに変更されている旨の表示が行われるため、そのまま使用し、意図しない機能が作動してしまうという問題を防ぐことができる。さらに、警告表示に初期値へ戻すことを選択可能な手段を設けることにより、容易に初期値に戻すことができ、各機能スイッチを本来の機能として使用することができる。
【００６２】
また、本実施例においては、電源立ち上げ時に警告を表示する例について述べたが、これに限られるわけではない。例えば、表示スイッチ１１１により表示パネル１１０の点灯が指示された場合に警告を表示するなどしてもよい。
【００６３】
また、本実施例においては、警告表示により初期値へ戻すか否かをユーザが選択することにより、警告表示を消灯する例について述べたが、これに限られるわけではない。例えば、警告表示が点灯してから所定時間経過することにより消灯するなどしてもよい。
【００６４】
本実施例においては、機能設定スイッチに十字キーを用いた例について述べたが、ジョグシャトルスイッチ等、表示パネルの表示フローに沿って機能が設定できるものであれば如何なる設定スイッチでも構うものではない。
【００６５】
さらに、本実施例においては、表示パネルと機能設定スイッチをドライブユニットに設けたが、レンズシステムにおけるどの部位に配置しても構うものではない。
【実施例２】
【００６６】
以下、図８〜１０を参照して、本発明の第２の実施例によるレンズシステムについて説明する。
【００６７】
第１の実施例では、機能設定が初期値から異なる場合は、初期値に戻すか否かの警告表示を行う例について説明したが、本実施例では、電源立ち上げ時の機能設定は初期値とし、警告表示は前回設定値（記憶値）に戻すか否かの警告を表示する例について説明する。
【００６８】
本実施例のレンズシステムの外形および内部構成については、第１の実施例の図１〜図４と同様なので説明を省略する。
【００６９】
図８は表示パネル１１０に表示される、レンズ機能を設定するためのメニュー画面の例である。（ａ）は設定変更許可モード時のメニュー画面、（ｂ）は設定変更禁止モード時のメニュー画面である。
【００７０】
第１の実施例の図５と同様の設定項目については、同一符号で示し、説明を省略する。また、設定項目の変更操作についても、第１の実施例と同様のため、説明を省略する。
【００７１】
６０１は、設定変更の可否モードの選択項目であり、設定値を変更する毎に、設定変更許可モードと設定変更禁止モードが切り替わる。設定変更許可モードでは、設定項目４０２〜４０９の設定変更は可能であり、設定変更許可モードが選択されると、メニュー画面は図８（ａ）となる。設定変更禁止モードでは、設定項目４０２〜４０９の設定変更は不可であり、設定変更禁止モードが選択されると、メニュー画面は図８（ｂ）となる。
【００７２】
レンズシステムを所定の設定で固定とし運用したい場合は、設定変更禁止モードに設定することにより、不用意に設定を変更されることを防止することができるため、運用性が良くなる。
【００７３】
また、設定変更の可否モードを変更する際に、パスワードを入力することにより変更可能にする構成とするなどしても良い。
【００７４】
図９は第２の実施例における電源立ち上げ時の機能設定の流れを示したフローチャート図である。
【００７５】
まず、ドライブユニット１０２に電源が入ると、ステップＳ２００に進み、記憶部３１８に記憶されている設定変更の可否モードが設定変更許可モードか設定変更禁止モードかを判断する。設定変更禁止モードでの場合は、ステップＳ２０１に進み、設定変更許可モードである場合は、ステップＳ２０２に進む。
【００７６】
ステップＳ２０１では、記憶部３１８に記憶されている記憶値に機能設定を設定する。すなわち、設定変更禁止モードの場合は、機能設定は、前回の記憶値として処理が終了する。
【００７７】
ステップＳ２０２では、予め定められた初期値に機能設定を設定する。
【００７８】
次に、ステップＳ２０３に進み、記憶値と予め定められている初期値とが異なるか否か、すなわち、ユーザにより機能設定を変更されているか否かを判断する。初期値と異なっている場合は、ステップＳ２０４に進み、初期値と同一の場合は、そのまま処理を終了する。
【００７９】
ステップＳ２０４では、表示スイッチ１１１がユーザにより押されたか否かを判断する。表示スイッチ１１１が押されるまではステップＳ２０４で待機し、押された場合はステップＳ２０５に進む。
【００８０】
ステップＳ２０５では、表示パネル１１０にユーザに対する警告表示を行う。
【００８１】
図１０はステップＳ２０５における警告表示の表示例を示している。
【００８２】
７０１では、現在の機能設定が初期値であることを示す表示を行い、７０２では、機能設定を前回の設定値（記憶値）に戻すか否かを問う内容を表示する。また、７０２の問いに対して、７０３で記憶値に戻すことを示す「Ｙｅｓ」、７０４で戻さないことを示す「Ｎｏ」の表示を行い、機能設定スイッチ１１２により選択可能とする。ステップＳ２０６では、機能スイッチ１１２により「Ｙｅｓ」７０３、または「Ｎｏ」７０４が選択されたかを判断する。「Ｙｅｓ」７０３が選択された場合は、ステップＳ２０７に進み、「Ｎｏ」７０４が選択された場合は、ステップＳ２０８に進む。
【００８３】
ステップＳ２０７では、記憶部３１８に記憶されている記憶値に機能設定を設定し、次にステップＳ２０８に進む。
【００８４】
ステップＳ２０８では、表示パネル１１０の表示を消灯する。
【００８５】
以上により、第２の実施例では、設定変更許可モードの場合、電源立ち上げ時に機能設定は初期値となるため、前回使用していた別のユーザによりレンズシステムの機能設定が変更されていた場合でも、意図しない機能が作動してしまうという問題を防止できる。また、ユーザが使用している途中で、一度電源を切るような場合があっても、警告表示により「Ｙｅｓ」を選択することで、容易に元の機能設定に戻すことができるため、使い勝手も良い。さらに、設定変更禁止モードに設定することにより、機能設定は初期値ではなく記憶値となるため、意図的に機能設定を初期値とは異なる設定でレンズシステムを運用する場合であっても運用性を損なうことはない。さらに、第１の実施例のように、電源立ち上げ時に警告表示を行うのではなく、表示スイッチ１１１を押すことにより、警告表示を行うこととした。よって、コンサートなどの暗い会場において、電源を立ち上げる場合であっても、意図せず表示パネル１１０が点灯することにより、観客の集中力を阻害しまうことを防止することができる。
【００８６】
本実施例においては、表示スイッチ１１１により表示パネル１１０の点灯が指示された場合に警告を表示する例について述べたが、これに限られるわけではない。例えば、電源立ち上げ時に警告を表示するなどしてもよい。
【００８７】
以上、本発明の好ましい実施形態について説明したが、本発明はこれらの実施形態に限定されず、その要旨の範囲内で種々の変形及び変更が可能である。
【符号の説明】
【００８８】
１０１  レンズ装置、１０２  駆動制御装置、１０３  シーソースイッチ（操作手段）、
１０４  リターンスイッチ（操作手段）、１０５  ＶＴＲスイッチ（操作手段）、
１０６  アイリス駆動切替スイッチ（操作手段）、
１１０  表示パネル（機能設定手段）、１１２  機能設定スイッチ（機能設定手段）
【図１】
2017215405.tif 000003
【図２】
2017215405.tif 000004
【図３】
2017215405.tif 000005
【図４】
2017215405.tif 000006
【図５】
2017215405.tif 000007
【図６】
2017215405.tif 000008
【図７】
2017215405.tif 000009
【図８】
2017215405.tif 000010
【図９】
2017215405.tif 000011
【図１０】
2017215405.tif 000012